(57)【要約】      （修正有）【課題】新規な機能を持たせ、利便性を向上する、防塵・防音シートなどのシート体の隅角部や周縁部に取付けられるハトメを提供する。【解決手段】シート体２の前記隅角部や周縁部に取付けられ、紐や結束バンドなどが掛けられて、該シート体２を大面積に繋ぎ合わせたり、足場などの支持部材に取付けたりすることができるようにするために用いられるハトメ１において、複数個のハトメ１が、対または組を成して使用される場合に、等方性磁石によって作成する。ハトメ１同士、磁力の影響が及ぶ程度に近付くと、互いに吸着しようとする機能を発揮するので、隅角部や縁部を合せて折畳んでゆく際に、その隅角部や縁部が自然に合わさり、また一旦合わさると、手を離しても離れず、大面積のシート体２を畳んで収納するにあたって、利便性を向上することができる。【選択図】図１
0003229040.tif 000002
【実用新案登録請求の範囲】
【請求項１】
磁着性を有することを特徴とするハトメ。
【請求項２】
対または組を成して使用されることを特徴とする請求項１記載のハトメ。
【請求項３】
収納空間を有し、磁石を内蔵していることを特徴とする請求項１または２記載のハトメ。
【請求項４】
収納空間を有し、粒状の磁石が分散された樹脂を内蔵していることを特徴とする請求項１または２記載のハトメ。
【請求項５】
前記収納空間の蓋を有することを特徴とする請求項３または４記載のハトメ。
【請求項６】
前記磁石を押えて固定する爪を有することを特徴とする請求項３記載のハトメ。
【請求項７】
前記磁石は、等方性磁石から成ることを特徴とする請求項３〜６の何れか１項に記載のハトメ。
【請求項８】
シート体において折畳まれた状態で相互に重なる位置に形成された孔に嵌着され、該シート体の連結部材が挿通することを特徴とする請求項１〜７の何れか１項に記載のハトメ。
【請求項９】
前記請求項８記載のハトメを、前記折畳まれた状態で相互に重なる位置に備えることを特徴とするシート体。
【請求項１０】
防塵・防音シートであることを特徴とする請求項９記載のシート体。
【請求項１１】
前記請求項１〜７の何れか１項に記載のハトメを、少なくとも両端部に備えることを特徴とするベルト。
【考案の詳細な説明】
【技術分野】
【０００１】
本考案は、ハトメが周縁部などに設けられ、建設現場の防塵・防音シートなどとして好適に実施されるシート体や、ハトメが取付けられたベルト、およびそのようなハトメ自体に関する。
【背景技術】
【０００２】
前記建設現場で使用される防塵・防音シートを始め、家庭で手軽に使用される、所謂ブルーシートなどのシート体には、該シート体の少なくとも周縁部にハトメを設け、そのハトメに紐や結束バンドなどの連結部材を通して、足場や家屋などに括り付けて使用されるものがある。また、ハトメの部分で他のシート体をさらに連結して、大面積で使用されることが多い。一方、荷造りのベルトなどにも、ハトメが取付けられることがある。なお、ハトメとの用語には、機能や、ハトメを打つ動作なども広義の解釈では含まれることもあるが、本件明細書では、ハトメ本体と座金とを組合わせた両面ハトメや、座金を用いずに、筒状の本体の反対側を拡径する片面ハトメなどの、実際にシート体やベルトなどに固定される部材を指すものとする。
【０００３】
特許文献１には、工事用シートの端部を折返してハトメで固定するにあたって、ハトメを打たない所には、シート同士を熱接着することで、耐久性を向上することが示されている。特許文献２には、ハトメを並列に形成することで、ピッチの違いに対応し、タイトに張れるようにした養生用剛性樹脂シートが示されている。
【先行技術文献】
【特許文献】
【０００４】
【特許文献１】特開平９−２４２３４１号公報
【特許文献２】特開平９−７２０９５号公報
【考案の概要】
【考案が解決しようとする課題】
【０００５】
特許文献１および２は、ハトメの部分には特に工夫は無く、要求される強度などの仕様に対応した物が使用されるに過ぎない。一方、シート体の方は、工事現場や屋根を覆ったりするので、かなりの大面積である。そのため、不使用時には畳んで収納されるが、畳む作業も、複数の作業員で、角や縁を合せて折畳んでゆく必要があり、煩雑である。
【０００６】
本考案の目的は、新規な機能を有し、特に防塵・防音シートの折畳み時に好適に、利便性を向上することができるハトメならびにそれを用いるシート体およびベルトを提供することである。
【課題を解決するための手段】
【０００７】
本考案のハトメは、磁着性を有することを特徴とする。
【０００８】
上記の構成によれば、防塵・防音シートなどのシート体の周縁部やベルトの端部などに取付けられ、紐や結束バンドなどが通されて、該シート体やベルトを大面積に、或いは長くなるように繋ぎ合わせたり、足場などの支持部材に取付けたりすることができるようにするために好適に用いられるハトメにおいて、磁着性を持たせる。具体的には、磁石の成分を含有したり、磁石を内蔵したり、或いは鉄などの磁性体に強電界や強磁界を加えて磁化させておく。
【０００９】
したがって、たとえば対または組を成して使用されるハトメ同士や、鉄板などに、磁力の影響が及ぶ程度に近付くと、吸着し合おうとする新規な機能を発揮する。これによって、前記シート体やベルトでは、角や縁、或いは端部を合せて折畳んでゆく際に、その角や縁、或いは端部に前記対または組を成して使用されるハトメが取付けられていると、それらが自然に合わさり、また一旦合わさると、手を離しても離れず、大面積のシート体や長いベルトを畳んで収納するにあたって、利便性を向上することができる。
【００１０】
また、本考案のハトメは、対または組を成して使用されることを特徴とする。
【００１１】
上記の構成によれば、複数個のハトメが、対または組を成して使用される場合に、全部または一部のハトメについては前記磁石の成分を含有したり、磁石を内蔵する一方、前記磁石の成分を含有したり、磁石を内蔵したり、磁化されている物が前記一部のハトメだけである場合は、残余のハトメは、鉄などの磁性体で形成しておくことで、前記相互の磁着を可能にする。
【００１２】
したがって、前記対または組を成して使用されるハトメ同士、相互に吸着させることができる。
【００１３】
さらにまた、本考案のハトメは、収納空間を有し、たとえばリング状や紐状の磁石を内蔵していることを特徴とする。
【００１４】
上記の構成によれば、磁性体に限らず、非磁性体、たとえば樹脂などから成るハトメにも、磁石を内蔵して、前記磁着性を持たせることができる。
【００１５】
また、本考案のハトメは、収納空間を有し、粒状の磁石が分散された樹脂を内蔵していることを特徴とする。
【００１６】
上記の構成によれば、前記の磁気吸着のための磁石は、粒状で、分散状態で、樹脂などに含有されて成型されるので、磁性体に限らず、非磁性体、たとえば樹脂などから成るハトメにも、磁着性を持たせることができ、また磁石の形状も任意の形状にすることができる。
【００１７】
さらにまた、本考案のハトメは、前記収納空間の蓋を有することを特徴とする。
【００１８】
上記の構成によれば、前記の磁石や、粒状の磁石を含有する樹脂を、収納空間に収納した状態で、それらを押えて固定する蓋を有するので、間にシート体を挟んでパンチする際にズレず、作業性を向上することができる。
【００１９】
また、本考案のハトメでは、前記磁石を押えて固定する爪を有することを特徴とする。
【００２０】
上記の構成によれば、前記の磁石を収納空間に収納した状態で、それを押えて固定する爪を有するので、間にシート体を挟んでパンチする際にズレず、作業性を向上することができる。
【００２１】
さらにまた、本考案のハトメでは、前記磁石は、等方性磁石から成ることを特徴とする。
【００２２】
上記の構成によれば、磁石としては、多極性磁石や、異方性磁石であってもよいが、等方性磁石は、反発し合うことなく、吸着のみを行うので、前記防塵・防音シートなどのシート体の折畳みには、利便性をより向上することができ、好適である。
【００２３】
また、本考案のハトメは、シート体において折畳まれた状態で相互に重なる位置に形成された孔に嵌着され、該シート体の連結部材が挿通することを特徴とする。
【００２４】
上記の構成によれば、上記のような磁気吸着を行うハトメを、前記防塵・防音シートなどのシート体において、角部や縁部などで、折畳まれた状態で相互に重なる位置に形成された孔に嵌着し、紐や結束バンドなどの該シート体の連結部材を挿通させる。したがって、折畳み易いシート体を実現することができる。
【００２５】
さらにまた、本考案のシート体は、前記のハトメを、前記折畳まれた状態で相互に重なる位置に備えることを特徴とする。
【００２６】
上記の構成によれば、防塵・防音シートなどのシート体において、角部や縁部の対応する位置同士が自然に合わさり、折畳み易いシート体を実現することができる。
【００２７】
また、本考案のシート体は、防塵・防音シートであることを特徴とする。
【００２８】
上記の構成によれば、防塵・防音シートは、面積が大きく、上述のような折畳み易さを備えることは、特に好適である。
【００２９】
さらにまた、本考案のベルトは、前記のハトメを、少なくとも両端部に備えることを特徴とする。
【００３０】
上記の構成によれば、梁などにベルトを引掛けた際、両端部のハトメ部分が相互に吸着するので、そのハトメ孔に、前記防塵・防音シートなど、他の物をぶら下げたりできる新規なベルトを実現することができる。
【考案の効果】
【００３１】
本考案のハトメおよびそれを用いるシート体は、以上のように、防塵・防音シートなどのシート体の周縁部に取付けられ、紐や結束バンドなどが掛けられて、該シート体を大面積に繋ぎ合わせたり、足場などの支持部材に取付けたりすることができるようにするために好適に用いられるハトメにおいて、磁着性を持たせる。
【００３２】
それゆえ、たとえば対または組を成して使用されるハトメ同士や、鉄板などに、磁力の影響が及ぶ程度に近付くと、吸着し合おうとする新規な機能を発揮するので、前記シート体やベルトでは、角や縁、或いは端部を合せて折畳んでゆく際に、その角や縁、或いは端部に前記対または組を成して使用されるハトメが取付けられていると、それらが自然に合わさり、また一旦合わさると、手を離しても離れず、大面積のシート体や長いベルトを畳んで収納するにあたって、利便性を向上することができる。
【図面の簡単な説明】
【００３３】
【図１】本考案の実施の一形態に係るハトメを取付けたシート体を折畳んだ状態を示す斜視図である。
【図２】前記ハトメの取付け状況を示す分解斜視図である。
【図３】本考案の実施の他の形態に係るハトメの断面図である。
【図４】本考案の実施のさらに他の形態に係るハトメの分解斜視図である。
【図５】本考案の実施の他の形態に係るハトメの断面図である。
【図６】本考案の実施のさらに他の形態に係るハトメの断面図である。
【図７】本考案の実施の他の形態に係るベルトの斜視図である。
【考案を実施するための形態】
【００３４】
（実施の形態１）
図１は本考案の実施の一形態に係るハトメ１を取付けたシート体２を折畳んだ状態を示す斜視図であり、図２は前記ハトメ１の取付け状況を示す分解斜視図である。本実施形態のシート体２は、建設現場などの仮覆いをしたり、屋根の雨漏りを防止したりするために用いられる、所謂ブルーシートとして実現されるものを例示しているが、厚手で、前記建設現場において、防塵・防音シートとして用いられるシート体などでもよく、ハトメ１を、角部や縁部などのシート体２が折畳まれた状態で相互に重なる位置に有し、そのハトメ１に紐や結束バンドが通されて、大面積に繋ぎ合わせられたり、足場や家屋などに括り付けて使用されるものであればよい。
【００３５】
本実施形態のハトメ１は、図２で示すように、ハトメ本体３と座金４とを組合わせた両面ハトメを例示しているが、座金４を用いずに、筒状の本体の反対側を拡径する片面ハトメでもよい。したがって、本実施形態のハトメ１は、シート体２の隅角部２１や辺縁部に形成された孔２２に、矢符２３で示すようにシート体２の表面からハトメ本体３の筒部３１が通され、裏面側から矢符２４で示すように座金４が当てがわれた後、前記筒部３１の先端部分３１１がパンチされることで、前記孔２２の周縁部を挟持する。
【００３６】
注目すべきは、本実施形態のハトメ１は、磁着性を有することである。具体的には、たとえば複数個のハトメが、角部や縁部などのシート体２が折畳まれた状態で相互に重なる位置に設けられ、対または組を成して使用される場合では、全部または一部のハトメについては磁石の成分を含有させておき、或いは鉄などの磁性体に強電界や強磁界を加えて磁化させておく一方、前記磁石の成分を含有したり、磁化されている物が前記一部のハトメだけである場合は、残余のハトメは、鉄などの磁性体で形成しておくことで、相互の磁着性を持たせることができる。
【００３７】
このように構成することで、ハトメ１同士、磁力の影響が及ぶ程度に近付くと、互いに吸着しようとする新規な機能を発揮する。また、単体でも、鉄板などに吸着させることができる。これによって、前記シート体２では、対または組を成す角部や縁部を合せて折畳んでゆく際に、その角部や縁部が自然に合わさり、また一旦合わさると、手を離しても離れず、大面積のシート体２を畳んで収納するにあたって、利便性を向上することができる。
【００３８】
また注目すべきは、ハトメ１が磁石から成る場合、その磁石は、多極性磁石や、異方性磁石であってもよいが、本実施形態では等方性磁石から成ることである。ここで、前記等方性磁石は、外部からはＳＮに明確に分極できておらず、そのため反発し合うことなく、吸着のみを行う。したがって、シート体２において、対または組を成す角部や縁部に、この等方性磁石のハトメ１を用いることで、折畳み時の利便性をより向上することができる。たとえば、シート体２が矩形である場合、横方向に折畳んでも、縦方向に折畳んでも、対角線で折畳んでも、ハトメ１同士が、互いに吸着し合うことができる。
【００３９】
片面ハトメと両面ハトメとの内、前記の磁気吸着のために、片面ハトメでは、それ自体が磁石の成分を含有するか磁性体で形成される必要があるが、本実施形態のハトメ１のように、両面ハトメでは、組合わせて構成されるハトメ本体３と座金４との少なくとも一方が前記磁石の成分を含有するか磁性体で形成されてもよい。しかしながら、特に両方が磁性体または磁石で形成される場合、座金４に磁石の成分を含有し、ハトメ本体３は磁性体で形成することが好ましい。
【００４０】
すなわち、パンチで塑性変形するハトメ本体３を鉄などの磁性体で形成し、塑性変形しない座金４の部分に磁石の成分を含有しておく。そうすることで、ハトメ本体３の部分は磁力を損なうことなく、強度を確保することができ、座金４の部分は、強度や変形のし易さよりも、磁気吸着力を優先して材料を選択することができ、好適である。
【００４１】
一方、シート体２では、表裏を貫通した孔２２を形成し、そこに紐や結束バンドなどの連結部材を挿通させるためのハトメ１を嵌着するにあたって、上述のような磁気吸着を行うハトメ１を用いることで、該シート体２を折畳み易くなり、好適である。特に、ハトメ１を周縁部に設けることで、角部や縁部が自然に合わさり、折畳み易いシート体を実現することができる。ハトメ１を備えるシート体２としては、防塵・防音シートは、面積が大きく、折畳み易くなることは好適である。
【００４２】
（実施の形態２）
図３は、本考案の実施の他の形態に係るハトメ５の断面図である。上述のハトメ１では、全部または一部のハトメについては磁石の成分を含有させたり、磁化させておき、かつ磁石の成分を含有したり、磁化されている物が一部のハトメだけである場合は、残余のハトメは、鉄などの磁性体で形成しておくことで、相互の磁着性を持たせている。したがって、ハトメ本体３や座金４の基材そのものが、前記磁石の成分を含有していたり、磁性体から成る。しかしながら、そうなると、基材自体の強度が低下する可能性がある。
【００４３】
そこで本実施形態のハトメ５では、基材と、磁石や磁性体とを分離して形成している。具体的には、図３は片面ハトメ５の断面を示しているが、基材５０は、内側の筒状部分５１と、筒状部分５１の一端から半径方向外方に延びるフランジ部分５２と、フランジ部分５２の外周縁を筒状部分５１と略平行に折返して成る外筒部分５３とを備えて構成される。そして、筒状部分５１をシート体２の孔２２に通した後、該筒状部分５１の先端側５１１をパンチで拡径することで、シート体２を挟み込む。
【００４４】
したがって、筒状部分５１を内壁、外筒部分５３を外壁、フランジ部分５２を底部とし、筒状部分５１および外筒部分５３を深くすることで、環状の凹所５４が内部に形成されることになり、そこを収納空間として、粒状の磁石５５が、シリコーンゴムなどから成る樹脂５６に分散された状態で、注入・固化される。磁性体の場合は、磁石５５に代えて、鉄の粒などが用いられてもよい。こうして、塑性変形に強い非磁性のステンレスや、熱で変形させられる樹脂で基材５０を形成しても、磁石５５を内蔵し、磁着性を持たせることができる。樹脂５６は、ビスフェノールフリーであることが望ましい。
【００４５】
さらにまた、本実施形態のハトメ５では、収納空間である凹所５４、つまり充填された粒状の磁石５５および樹脂５６を覆うように、蓋５７を設けている。粒状の磁石５５および樹脂５６を、液状態で充填することで、それらが固化すると、基材５０に固定（接着）されることになるが、それらが予め成型されている場合、凹所５４に嵌込んだ後、該蓋５７で押えて固定することで、間にシート体２を挟んでパンチする際にズレず、作業性を向上することができる。
【００４６】
（実施の形態３）
図４は、本考案の実施のさらに他の形態に係るハトメ６の断面図である。両面ハトメの場合、このハトメ６のように、ハトメ本体６０と座金６７との間に、リング状や紐状、或いはゴム（図４ではリング状）の磁石６５を設けるようにしてもよい。ハトメ本体６０は、上述のハトメ５と同様に、内側の筒状部分６１と、筒状部分６１の一端から半径方向外方に延びるフランジ部分６２と、フランジ部分６２の外周縁を筒状部分６１と略平行に折返して成る外筒部分６３とを備えて構成される。そして筒状部分６１を内壁、外筒部分６３を外壁、フランジ部分６２を底部とする環状の凹所（収納空間）６４内に前記リング状の磁石６５が嵌め込まれる。座金６７は、間にシート体２を挟んだ後、筒状部分６１の先端部６１１がパンチされて固定されるが、その外周縁部から磁石６５側に、係止爪６８が垂下して形成されており、磁石６５の位置ズレが防止されている。
【００４７】
このように両面ハトメの場合、ハトメ本体６０と座金６７とを組合わせて構成されるので、それらの間に予め環状の凹所（収納空間）６４が形成されるような形状に形成しておき、パンチで組合わせる際に、それらの間にリング状の磁石６５を挟み込むことで、前記磁着性を持たせることができる。なお、ハトメ本体６０および／または座金６７は、樹脂などの非磁性体と、金属などの磁性体との何れでもよい。また、ハトメ３のように、粒状の磁石５５を樹脂５６に分散させた物ではなく、単体の磁石６５を用いることで、多極性の磁石を用いることができ、たとえばネオジム磁石などの強力な磁石を用いることができる。
【００４８】
（実施の形態４）
図５は、本考案の他の実施形態のハトメ７の断面図である。このハトメ７は、両面ハトメであり、ハトメ本体７０および座金７１のそれぞれに、前記磁石５５を分散した樹脂５６が充填されており、蓋７２，７３が被せられている。このように構成することで、強力に磁着するハトメを実現することができる。こうして、粒状の磁石５５を樹脂５６に分散して固めることで、片面ハトメ５と両面ハトメ７との何れにも、前記磁着性を持たせることができる。
【００４９】
（実施の形態５）
図６は、本考案の実施のさらに他の形態に係るハトメ８の断面図である。このハトメ８は、上述のハトメ５，６に類似し、対応する部分には同一の参照符号を付して、その説明を省略する。このハトメ８では、リング状の磁石６５を片面ハトメに用い、その磁石６５の固定には、蓋５７を用いず、ハトメ本体５０ａにおいて、外筒部分５３の先端部５３１を内側に突出させた爪５８を用いることである。爪５８は、周方向に均等に、複数箇所設けられることが好ましい。爪５８の先端を、フランジ部分５２に近付く程内方に突出する斜辺５８１に形成することで、磁石６５を押込むと、該磁石６５で前記斜辺５８１が押拡げられて前記フランジ部分５２から外筒部分５３が弾性変形し、磁石６５が斜辺５８１を通過すると、前記変形が解除されて爪５８で磁石６５が係止される。
【００５０】
このように構成してもまた、シート体２を挟んでパンチする際に磁石６５がズレず、作業性を向上することができる。
【００５１】
（実施の形態６）
図７は、本考案の実施の他の形態に係るベルト９の斜視図である。上述の説明では、シート体２に、ハトメ１，５，６，７，８を適用する例を示しているが、本実施形態では、ベルトの両端部に設けている。そして、長手帯状体に形成される該ベルト９の中央部９１が、被係着物であるパイプ１２に引掛けられて使用され、そのパイプ１２で折返されることで、前記両端部付近に一対で取付けられているハトメ１，５，６，７，８は相互に磁着する。これによって、ハトメ１，５，６，７，８の孔１０が連通し、フック孔となる。図７の例では、その孔１０に、ワイヤーハンガーの頭部１３が引っ掛けられている。
【００５２】
したがって、何処かの棒や出張りなどに該ベルト９を引掛けて折返すことで、相互に両端が吸着した帯状体を構成でき、しかもハトメ１，５，６，７，８の部分には孔１０が開いているので、その孔１０に通ることができる係着対象物を吊下げることができるようになる。こうして、前記何処かの棒や出張りなどに、前記係着対象物を容易に吊下げることができる。たとえば、旅行などで、天井に近いパイプ１２などにハンガー（１３）を引っ掛ける際に有効である。また、工事現場の足場のパイプに、該ベルト９を引掛け、孔１０と他のシート体２のハトメ１，５，６，７，８の孔とを紐で連結して、シート体２を張ることもできる。
【００５３】
ここで、ハトメに磁石を設けた例としては、たとえば実開平６−３２９０７号公報などが示されているが、ハトメに磁石を着けたり、磁石をハトメで着けたりして、他の物に取付けたりするために用いられるもので、本願のように、ハトメ１同士を吸着させるものではない。
【符号の説明】
【００５４】
１，５，６，７，８    ハトメ
２    シート体
２１    隅角部
２２    孔
３，５０ａ，７０    ハトメ本体
４，７１    座金
３１    筒部
５０    基材
５１，６１    筒状部分
５２，６２    フランジ部分
５３，６３    外筒部分
５４，６４    凹所
５５    粒状の磁石
５５１  斜辺
５６    樹脂
５７，７２，７３    蓋
５８    爪
５８１  斜辺
６０    ハトメ本体
６５    磁石
６７    座金
６８    係止爪
９    ベルト
１０    孔
１２    パイプ
１３    ワイヤーハンガーの頭部
【図１】
0003229040.tif 000003
【図２】
0003229040.tif 000004
【図３】
0003229040.tif 000005
【図４】
0003229040.tif 000006
【図５】
0003229040.tif 000007
【図６】
0003229040.tif 000008
【図７】
0003229040.tif 000009